(57)【要約】【課題】  本発明は、無線システムの資源を最適化する方法及びシステムを提供する。【解決手段】  本発明の方法は、無線システムのトランスポート・ネットワーク中のトラフイックに関するトランスポート・ネットワーク情報を無線システムの無線ネットワークへ転送し（４０２）、前記トランスポート・ネットワークは無線ネットワークのネットワーク要素及び無線ネットワークを無線システムのコア・ネットワークへ接続し、無線ネットワークのサービング・ネットワーク要素がユーザ装置の通信接続をサービング・ネットワーク要素を経由してコア・ネットワークへルーチング（４０４）する方法であって、トランスポート・ネットワーク情報に基づいてサービング・ネットワーク要素とユーザ装置との間のユーザ装置の通信接続を調節する（４０６）ことをさらに含む。
2006502638.tif 000002
【特許請求の範囲】
【請求項１】
無線システムの資源を最適化するための方法であって、
無線システムのトランスポート・ネットワーク中のトラフイックに関するトランスポート・ネットワーク情報を無線システムの無線ネットワークへ転送し（４０２）、前記トランスポート・ネットワークは無線ネットワークのネットワーク要素及び無線ネットワークを無線システムのコア・ネットワークへ接続し、
無線ネットワークのサービング・ネットワーク要素がユーザ装置の通信接続をサービング・ネットワーク要素を経由してコア・ネットワークへルーチング（４０４）する方法において、
トランスポート・ネットワーク情報に基づいて、サービング・ネットワーク要素とユーザ装置との間のユーザ装置の通信接続を調節する（４０６）ことを特徴とする方法。
【請求項２】
調節において、トランスポート・ネットワーク情報に基づき無線システムの基地局とユーザ装置との間のユーザ装置の通信接続のソフトハンドオーバーが調節されることを特徴とする請求項１に記載の方法。
【請求項３】
無線システムの資源を最適化するための方法であって、
無線システムのトランスポート・ネットワーク中のトラフイックに関するトランスポート・ネットワーク情報を無線システムの無線ネットワークへ転送し（５０２）、前記トランスポート・ネットワークは無線ネットワークのネットワーク要素及び無線ネットワークを無線システムのコア・ネットワークへ接続する方法において、
トランスポート・ネットワーク情報に基づいて、ユーザ装置と無線ネットワークの基地局との間の通信接続のソフトハンドオーバーを調節する（５０４）ことを特徴とする方法。
【請求項４】
無線ネットワークのネットワーク要素の１つがサービング・ネットワーク要素であり、ユーザ装置の通信接続がサービング・ネットワーク要素を経由してコア・ネットワークへルートすることを特徴とする請求項３に記載の方法。
【請求項５】
サービング・ネットワーク要素が、サービング基地局又はサービング無線ネットワーク制御器であることを特徴とする請求項１又は４に記載の方法。
【請求項６】
通信接続が、ユーザ装置とサービング・ネットワーク要素との間の無線接続を含むことを特徴とする請求項１又は４に記載の方法。
【請求項７】
通信接続が、ユーザ装置と無線ネットワークの基地局との間の無線接続、及び基地局とサービング・ネットワーク要素との間の接続を含むことを特徴とする請求項１又は４に記載の方法。
【請求項８】
調節において、無線ネットワークのネットワーク要素によるユーザ装置の通信接続のアンカーリングが調節されることを特徴とする請求項１又は４に記載の方法。
【請求項９】
調節において、ソフトハンドオーバーに対する基準が調節されることを特徴とする請求項１、２又は３に記載の方法。
【請求項１０】
調節において、ソフトハンドオーバーレグの数が調節されることを特徴とする請求項１、２又は３に記載の方法。
【請求項１１】
調節において、ある装置によるソフトハンドオーバーの許容性が調節されることを特徴とする請求項１、２又は３に記載の方法。
【請求項１２】
調節において、基地局当たりのソフトハンドオーバーの使用が調節されることを特徴とする請求項１、２又は３に記載の方法。
【請求項１３】
調節において、無線セル当たりのソフトハンドオーバーの使用が調節されることを特徴とする請求項１、２又は３に記載の方法。
【請求項１４】
調節において、無線ネットワークのネットワーク要素間のベアラーに対して割り当てられたビットレートが調節されることを特徴とする請求項１、２又は３に記載の方法。
【請求項１５】
無線システムであって、
コア・ネットワーク（１００）と、
ユーザ装置（１７０）に対して通信接続を提供するためにコア・ネットワーク（１００）に接続された無線ネットワーク（３２０）と、前記無線ネットワークはネットワーク要素（３２４、３２６、３２８）を含み、前記ネットワーク要素の内の１つはサービング・ネットワーク要素（３２６）として動作するように構成されていて、ユーザ装置（１７０）の通信接続をサービング・ネットワーク要素（３２６）を経由してコア・ネットワーク（１００）へルーチングし、
無線ネットワークのネットワーク要素を接続し及び無線ネットワーク（３２０）をコア・ネットワークへ接続するためのトランスポート・ネットワーク（３２２）と、
前記トランスポート・ネットワーク（３２２）のトラフイックに関するトランスポート・ネットワーク情報を受信するための受信手段（３０１）とを備えた無線システムにおいて、
トランスポート・ネットワーク情報に基づいて、サービング・ネットワーク要素（３２６）とユーザ装置（１７０）との間のユーザ装置（１７０）の通信接続を調整するために受信手段（３０１）に接続された調節手段（３０２）をさらに備えることを特徴とする無線システム。
【請求項１６】
調節装置（３０２）は、トランスポート・ネットワーク情報に基づいて、ユーザ装置（１７０）と無線ネットワーク（３２０）の基地局との間の通信接続のソフトハンドオーバーを調節することを特徴とする請求項１５に記載のシステム。
【請求項１７】
無線システムであって、コア・ネットワーク（１００）と、
ユーザ装置（１７０）に対して通信接続を提供するためにコア・ネットワーク（１００）に接続された無線ネットワーク（３２０）と、前記無線ネットワークはネットワーク要素（３２４、３２６、３２８）を含み、
無線ネットワークのネットワーク要素を接続し及び無線ネットワーク（３２０）をコア・ネットワーク（１００）へ接続するためのトランスポート・ネットワーク（３２２）と、
トランスポート・ネットワーク（３２２）のトラフイックに関するトランスポート・ネットワーク情報を受信するための受信手段（３０１）とを備えた無線システムにおいて、
トランスポート・ネットワーク情報に基づいて、無線ネットワーク（３２０）の基地局とユーザ装置（１７０）との間の通信接続のソフトハンドオーバーを調整するために受信手段（３０１）に接続された調節手段（３０２）をさらに備えることを特徴とする無線システム。
【請求項１８】
無線ネットワークのネットワーク要素の１つがサービング・ネットワーク要素（３２６）として動作するように構成されていて、ユーザ装置（１７０）の通信接続がサービング・ネットワーク要素（３２６）を経由してコア・ネットワーク（１００）へルートすることを特徴とする請求項１７に記載のシステム。
【請求項１９】
サービング・ネットワーク要素が、サービング基地局又はサービング無線ネットワーク制御器であることを特徴とする請求項１５又は１８に記載のシステム。
【請求項２０】
通信接続が、ユーザ装置（１７０）とサービング・ネットワーク要素（３２６）との間の無線接続を含むことを特徴とする請求項１５又は１８に記載のシステム。
【請求項２１】
通信接続が、ユーザ装置（１７０）と無線ネットワーク（３２０）の基地局（３２４、３２８）との間の無線接続、及び基地局（３２４、３２８）とサービング・ネットワーク要素（３２６）との間の接続を含むことを特徴とする請求項１５又は１８に記載のシステム。
【請求項２２】
調節手段（３０２）が、無線ネットワーク（３０２）のネットワーク要素によるユーザ装置（１７０）の通信接続のアンカーリングを調節することを特徴とする請求項１５又は１８に記載のシステム。
【請求項２３】
調節手段（３０２）が、ソフトハンドオーバーに対する基準を調節することを特徴とする請求項１５、１６又は１７に記載のシステム。
【請求項２４】
調節手段（３０２）が、ソフトハンドオーバーの数量を調節することを特徴とする請求項１５、１６又は１７に記載のシステム。
【請求項２５】
調節手段（３０２）が、ある装置によるソフトハンドオーバーの許容性を調節することを特徴とする請求項１５、１６又は１７に記載のシステム。
【請求項２６】
調節手段（３０２）が、基地局当たりのソフトハンドオーバーの使用を調節することを特徴とする請求項１５、１６又は１７に記載のシステム。
【請求項２７】
調節手段（３０２）が、無線セル当たりのソフトハンドオーバーの使用を調節することを特徴とする請求項１５、１６又は１７に記載のシステム。
【請求項２８】
調節手段（３０２）が、無線ネットワークのネットワーク要素間のベアラーに対して割り当てられたビットレートを調節することを特徴とする請求項１５、１６又は１７に記載のシステム。
【請求項２９】
無線システムの基地局であって、コア・ネットワークと、ユーザ装置に対して通信接続を提供するためにコア・ネットワークに接続された無線ネットワークと、該無線ネットワークはネットワーク要素を含み、１つのネットワーク要素はサービング・ネットワーク要素として動作するように構成されていて、ユーザ装置の通信接続をサービング・ネットワーク要素を経由してコア・ネットワークへルートし、無線ネットワークのネットワーク要素を接続し及び無線ネットワークをコア・ネットワークへ接続するためのトランスポート・ネットワークと、トランスポート・ネットワークのトラフイックに関するトランスポート・ネットワーク情報を受信するための受信手段とを備えた基地局において、
トランスポート・ネットワーク情報に基づいて、サービング・ネットワーク要素とユーザ装置との間のユーザ装置の通信接続を調整するために受信手段に接続された調節手段（３０２）をさらに備えることを特徴とする基地局。
【請求項３０】
無線システムの基地局であって、コア・ネットワークと、ユーザ装置に対して通信接続を提供するためにコア・ネットワークに接続された無線ネットワークと、該無線ネットワークはネットワーク要素を含み、無線ネットワークのネットワーク要素を接続しそしてコア・ネットワークへ無線ネットワークを接続するためのトランスポート・ネットワークと、トランスポート・ネットワークのトラフイックに関するトランスポート・ネットワーク情報を受信するための受信手段とを備えた基地局において、
トランスポート・ネットワーク情報に基づいて、基地局とユーザ装置との間の通信接続のソフトハンドオーバーを調整するために受信手段に接続された調節手段（３０２）をさらに備えることを特徴とする基地局。
【請求項３１】
無線システムの無線ネットワーク制御器であって、コア・ネットワークと、ユーザ装置に対して通信接続を提供するためにコア・ネットワークに接続された無線ネットワークと、該無線ネットワークはネットワーク要素を含み、１つのネットワーク要素はサービング・ネットワーク要素として動作するように構成されていて、ユーザ装置の通信接続をサービング・ネットワーク要素を経由してコア・ネットワークへルートし、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備えた無線ネットワーク制御器において、
トランスポート・ネットワーク情報に基づいて、サービング・ネットワーク要素とユーザ装置との間のユーザ装置の通信接続を調整するために受信手段に接続された調節手段をさらに備えることを特徴とする無線ネットワーク制御器。
【請求項３２】
無線システムの無線ネットワーク制御器であって、コア・ネットワークと、ユーザ装置に対して通信接続を提供するためにコア・ネットワークに接続された無線ネットワークと、該無線ネットワークはネットワーク要素を含み、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備えた無線ネットワーク制御器において、
トランスポート・ネットワーク情報に基づいて、基地局とユーザ装置との間の通信接続のソフトハンドオーバーを調整するために受信手段に接続された調節手段（３０２）をさらに備えることを特徴とする無線ネットワーク制御器。
【発明の詳細な説明】
【技術分野】
【０００１】
本発明は、無線システムの資源を最適化する方法、無線ネットワーク・コントローラ、及び無線システムに関する。
【背景技術】
【０００２】
移動体通信の資源及び容量に対する要件及び需要は、無線通信システム上に大量のデータが転送される必要性及びモバイル装置の密度とユーザの数の増加により、ますます厳しくなって来ている。新技術の開発により、将来の無線通信ネットワークは、１つのタイプの技術のみではなく、無線アクセス技術のいくつかのタイプを使用することが提案されている。ＷＣＤＭＡ（広帯域コード分割多重アクセス）、ＧＳＭ／ＥＤＧＥ（移動通信のためのグローバル・システム／グローバル展開のための増強データレート）等の技術は、既に世界的に使用されているか又は常に開発されている。近い将来、無線通信ネットワーク及び無線ユーザ装置は、ますます、インターネット・プロトコル（ＩＰ）に基づいた技術も支援するだろう。異なる技術を使用することにより、ネットワーク全体は異なる技術のカバレッジ及び容量特性を利用できる。資源を無駄遣いすることなくネットワーク中のサービス品質（ＱｏＳ）を管理することは、重要な要求の１つである。しかし、これはネットワーク資源とそれらの使用の最適化について新しい要求を生ずる。
【０００３】
パケット交換トランスポートを用いた通信ネットワークは、例えば、ＩＰに基づいたトランスポート・ネットワークとして実現できる。ＩＰパケットは、その源と一緒にパケットの宛先に関する情報を含み、パケットを容易にルートできるようにする。ＩＰパケットの宛先アドレスはルーター内で特定のルーチング決定を発生し、これによりパケットはルート上をその宛先へ送信される。回線交換ネットワークでは、コンテントはその宛先を知らない。ネットワークは接続を保持してその接続が続く限りネットワーク容量を保持する。ルーチングはファイル転送に対して良く実行されるが、十分なネットワーク容量が利用可能であってサービス品質（ＱｏＳ）が配慮される限り、音声及びビデオ電話などのリアルタイム・トラフイックに対しても良い。
【０００４】
通信ネットワークが輻輳した時、例えば、通信ネットワークの一部が過負荷になる時、又は、輻輳が予想される時、に問題が発生する。輻輳は、例えば、もし、ルーター又は他のネットワーク要素がルーターからデータを転送できるよりも速くデータを受信する場合に発生する。もし、トラフイックが自由にトランスポート部分、例えば、モバイル・ネットワークのＩＰトランスポートへインターネット上のように流れることが可能ならば、基地局に近い特に薄いトランスポート部分が輻輳するであろう。輻輳は、トランスポート容量を低下させるリンク故障により増大する。この状態は、トランスポート容量を予約するソフトハンドオーバー（ＳＨＯ）の使用により一層悪化する。
【０００５】
従来技術では、宛先ルートが輻輳している時、データ・パケットは削除されるか又はホールドされるかのいずれかになる。通信システムのバッファで待ち行列されているパケットは、到達するパケットに対する余地を作るために削除できる。新パケットは、新データに対する余地ができるまで、通信システムの輻輳した部分に入ることを阻止される。しかし、これらの技術は、サービスの品質を低下しこのため特にリアルタイム通信サービスで好ましくない、データの削除又は遅延及び遅延変化などの問題を発生する。
【０００６】
カバレッジの観点からは、基地局に近いリンク上のトランスポート容量よりも大きな無線容量を構築することが必要である。しかし、これは、例えば、１つのセルから他へのハンドオーバーは無線の観点からは意味があるがトランスポートの観点からは意味がない場合、輻輳状態になってしまう可能性を増加する。特に、ＷＣＤＭＡに基づいたネットワークでは、ソフトハンドオーバー負荷は問題である。現在のシステムでは、ハンドオーバー制御に責任を持つネットワークの無線資源管理（ＲＲＭ）は、独立に実行して、そしてソフトハンドオーバー接続の量の全変化を部分的に許容する。すなわち、ＳＨＯレグはソフトハンドオーバー負荷に大きな変化を生ずる。これらの全ては、無線ネットワークから来るトラフイックを処理できるようにするため、より多くのトランスポート容量を構築する必要性の状態を導く。これは、新ネットワーク資源の構築は高価であるから、問題である。
【発明の開示】
【０００７】
本発明は、無線システムの資源を最適化するための改良された方法を提供することを課題にする。
【０００８】
本発明の１つの観点として、無線システムの資源を最適化するための方法が提供される。この方法は、無線システムのトランスポート・ネットワーク中のトラフイックに関するトランスポート・ネットワーク情報を無線システムの無線ネットワークへ転送し、トランスポート・ネットワークが無線ネットワークのネットワーク要素と無線ネットワークを無線システムのコア・ネットワークへ接続し、無線ネットワークのサービング・ネットワーク要素がユーザ装置の通信接続をサービング・ネットワーク要素を経由してコア・ネットワークへルーチングし、トランスポート・ネットワーク情報に基づいてサービング・ネットワーク要素とユーザ装置との間のユーザ装置の通信接続を調節することを含む。
【０００９】
本発明の１つの観点として、無線システムの資源を最適化するための方法が提供される。この方法は、無線システムのトランスポート・ネットワーク中のトラフイックに関するトランスポート・ネットワーク情報を無線システムの無線ネットワークへ転送し、トランスポート・ネットワークが無線ネットワークの要素と無線ネットワークとを無線システムのコア・ネットワークへ接続し、トランスポート・ネットワーク情報に基づいてユーザ装置と無線ネットワークの基地局との間で通信接続のソフトハンドオーバーを調節する（５０４）ことを含む。
【００１０】
本発明の１つの観点として、無線システムが提供される。この無線システムは、コア・ネットワークと、ユーザ装置に対して通信接続を提供するためにコア・ネットワークに接続された無線ネットワークと、該無線ネットワークはネットワーク要素を含み、１つのネットワーク要素はサービング・ネットワーク要素として動作するように構成されていて、ユーザ装置の通信接続をサービング・ネットワーク要素を経由してコア・ネットワークへルートし、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備え、そして無線システムは、トランスポート・ネットワーク情報に基づいてサービング・ネットワーク要素とユーザ装置との間のユーザ装置の通信接続を調整するために受信手段に接続された調節手段をさらに備える。
【００１１】
本発明の１つの観点として、無線システムが提供される。この無線システムは、コア・ネットワークと、ユーザ装置に対して通信接続を提供するためにコア・ネットワークに接続された無線ネットワークと、該無線ネットワークはネットワーク要素を含み、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備え、そして無線システムは、トランスポート・ネットワーク情報に基づいて無線ネットワークの基地局とユーザ装置との間で通信接続のソフトハンドオーバーを調整するために受信手段に接続された調節手段をさらに備える。
【００１２】
本発明は１つの観点として、無線システムの基地局を提供する。この基地局は、コア・ネットワークと、ユーザ装置に対して通信接続を提供するためにコア・ネットワークに接続された無線ネットワークと、該無線ネットワークはネットワーク要素を含み、１つのネットワーク要素はサービング・ネットワーク要素として動作するように構成されていて、ユーザ装置の通信接続をサービング・ネットワーク要素を経由してコア・ネットワークへルートし、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備え、そして基地局は、トランスポート・ネットワーク情報に基づいてサービング・ネットワーク要素とユーザ装置との間のユーザ装置の通信接続を調整するために受信手段に接続された調節手段をさらに備える。
【００１３】
本発明は別の観点において、無線システムの基地局を提供する。この基地局は、コア・ネットワークと、ユーザ装置に対して通信接続を提供するためにコア・ネットワークに接続された無線ネットワークと、該無線ネットワークはネットワーク要素を含み、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備え、そして基地局は、トランスポート・ネットワーク情報に基づいて基地局とユーザ装置との間で通信接続のソフトハンドオーバーを調整するために受信手段に接続された調節手段をさらに備える。
【００１４】
本発明は別の観点において、無線システムの無線ネットワーク制御器を提供する。この無線ネットワーク制御器は、コア・ネットワークと、ユーザ装置に対して通信接続を提供するためにコア・ネットワークに接続された無線ネットワークと、該無線ネットワークはネットワーク要素を含み、１つのネットワーク要素はサービング・ネットワーク要素として動作するように構成されていて、ユーザ装置の通信接続をサービング・ネットワーク要素を経由してコア・ネットワークへルートし、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備え、そして無線ネットワーク制御器は、トランスポート・ネットワーク情報に基づいてサービング・ネットワーク要素とユーザ装置との間のユーザ装置の通信接続を調整するために受信手段に接続された調節手段をさらに備える。
【００１５】
本発明は１つの観点において、無線システムの無線ネットワーク制御器を提供する。この無線ネットワーク制御器は、コア・ネットワークと、ユーザ装置に対して通信接続を提供するためにコア・ネットワークに接続された無線ネットワークと、該無線ネットワークはネットワーク要素を含み、無線ネットワークのネットワーク要素を接続しそして無線ネットワークをコア・ネットワークへ接続するためのトランスポート・ネットワークと、トランスポート・ネットワークのトラフイックに関するトランスポート・ネットワーク情報を受信するための受信手段とを備え、そして無線ネットワーク制御器は、トランスポート・ネットワーク情報に基づいて基地局とユーザ装置との間の通信接続のソフトハンドオーバーを調整するために受信手段に接続された調節手段をさらに備える。
【００１６】
本発明の他の実施の形態が、従属形式の請求項に記載されている。
【００１７】
本発明はいくつかの利点を提供する。本発明は、無線システムの資源を最適化する時、無線システムはトランスポート負荷状況を考慮することが可能である。本発明の１つの利点は、トランスポート資源は最悪に従って大きさを調節する必要がない。このため、新ネットワーク資源に対する必要性が減少するから、ネットワーク資源を構築する際の費用節約を達成できる。
【００１８】
本発明の１つの利点は、ソフトハンドオーバーに起因する余分な負荷を調節でき、輻輳状態又は輻輳が予想される時、例えば、混雑時、に最小にすることができる。
【００１９】
別の利点は、サービスの品質を減少させるデータの削除などのドラスチックな動作無しに負荷変動により良く適応できることである。さらに、データが最も輻輳したリンクで削除される必要が無い時、削除されたデータは他のリンクを負荷せず、不必要にトランスポート資源を使用して他のトラフイックの品質を劣化させない。
【００２０】
別の利点は、アクセス・トランスポート・ネットワークが制限要因として作用しないため、ネットワーク資源はより効率的に使用できる。すなわち、アクセス・トランスポート・ネットワークを過度に大きくする必要性が無い。
【００２１】
本発明の別の利点は、トラフイック・ミクスチャの振動を減少できることである。トラフイック・ミクスチャのより一定なタイプが、例えば、ルーターではパラメータがトラフイック・ミクスチャのあるタイプに調節されているため、有利である。
以下に、本発明を好適な実施の形態について添付図面を参照して詳細に説明する。
【００２２】
実施の形態
図１を参照すると、本発明の実施の形態が適用できるシステムの一例としての無線システムが示されている。図１において、コア・ネットワーク（ＣＮ）１００、無線アクセス・ネットワーク１２０、１３０、１６０、及びユーザ装置（ＵＥ）１７０の無線システムの主要部分を含む単純化された無線システムについて、実施の形態が説明される。
【００２３】
図１は、第２、２．５、及び第３世代からのネットワーク要素が共存する無線アクセス・ネットワークの異なる世代の相互動作及び異なる技術を使用した進化した３Ｇ無線システムの一般的なアーキテクチャを示す。説明では、第２世代の無線システムがＧＳＭ（移動通信のためのグローバル・システム）により表され、２．５世代の無線システムはＧＳＭに基づきデータ転送速度を増加するためにＥＤＧＥ技術（グローバル発展のための増強データレート）を使用しそしてＧＰＲＳシステム（汎用パケット無線システム）でパケット送信を実現するためにも使用できる無線システムにより表される。第３世代は少なくとも名前ＩＭＴ−２０００（国際モバイル通信２０００）及びＵＭＴＳ（ユニバーサル・モバイル通信システム）により知られる無線システムにより表される。
【００２４】
無線システムのコア・ネットワーク１００は、外部ネットワーク１８０、１８２に接続されている。外部ネットワーク１８０、１８２は、公衆地上モバイル・ネットワークＰＬＭＮ１８０又は公衆交換電話ネットワークＰＳＴＮ１８０、及びインターネット１８２により表される。ＧＳＭに基づいた基地局サブシステム（ＢＳＳ）１６０は、基地局制御器（ＢＳＣ）１６６及び基地送受信局（ＢＴＳ）１６２、１６４を含む。基地局制御器１６６は、基地局送受信局１６２、１６４を制御する。コア・ネットワーク１００とＢＳＳ１６０との間のインターフェイス１０６は、Ａインターフェイスと呼ばれる。ＢＳＣ１６６とＢＴＳ１６２、１６４との間のインターフェイスは、Ａ−ｂｉｓインターフェイスと呼ばれる。原理的に、無線経路とそれらの機能を実現する装置は基地送受信局１６２、１６４及び基地局制御器１６６内の管理装置中に位置する。実現は当然にこの原理から逸脱することができる。当業者に知られるように、無線システムは図１には簡潔さのために記載されていないいくつかの基地局サブシステム１６０を含むことができる。
【００２５】
ＵＭＴＳ無線アクセス・ネットワーク（ＵＴＲＡＮ）１３０は、無線ネットワーク・サブシステム（ＲＮＳ）１４０、１５０を含む。各無線ネットワーク・サブシステム１４０、１５０は無線ネットワーク制御器（ＲＮＣ）１４６、１５６及びノードＢ１４２、１４４、１５２、１５４を含む。ノードＢは、抽象的な概念で、しばしば用語「基地局」に置き換えられる。異なる無線ネットワーク・サブシステムＲＮＳ１４０、１５０間、又はより詳細には、無線ネットワーク制御器（ＲＮＣ）１４６、１５６間のインターフェイスは、ｌｕｒと呼ばれる。ＵＭＴＳでは、コア・ネットワーク１００とＵＴＲＡＮ１３０の間のインターフェイスは、ｌｕインターフェイス１０８と呼ばれる。ＲＮＣ１４６とノードＢ１４２、１４４との間のインターフェイスは、ｌｕｂインターフェイスと呼ばれる。機能性に関しては、無線ネットワーク制御器１４０はおおよそＧＳＭシステムの基地局制御器１６６に対応し、ノードＢ１４２、１４４はＧＳＭシステムの基地局１６２、１６４に対応する。同じ装置が共に基地局として及びノードＢとして機能する解決も利用可能である。すなわち、装置は同時にＴＤＭＡ及びＷＣＤＭＡ無線インターフェイスを実現できる。
【００２６】
また、無線システムはＩＰ技術に基づいた無線アクセス・ネットワーク、すなわち、ＩＰＲＡＮ（インターネット・プロトコル無線アクセス・ネットワーク）１２０も使用できる。図１は、実施の形態が適用できる無線アクセス・ネットワーク（ＲＡＮ）の一例として、ＩＰＲＡＮ１２０を示す。ＩＰ技術に基づいた無線アクセス・ネットワーク及びそれらのアーキテクチャは絶えず開発されているため、図１のＩＰＲＡＮ１２０は、ＩＰ技術に基づいたＲＡＮのいくつかの主な機能を説明する例示的なアーキテクチャを示し、実現は変更できる。図１に示されたＩＰＲＡＮ１２０は、ＵＴＲＡＮ（ＵＭＴＳ無線アクセス・ネットワーク）、ＧＳＭ（移動通信のためのグローバル・システム）中に使用されるＢＳＳ（基地局サブシステム）又はＧＥＲＡＮ（ＧＳＭＥＤＧＥ無線ネットワーク）などのネットワーク及び他の従来の無線ネットワーク・アクセス技術と相互動作することも可能なＩＰ技術に基づいた無線アクセス・ネットワーク・プラットホームである。ＩＰＲＡＮは、インターフェイス１１２によりＵＴＲＡＮ１３０へ接続され、インターフェイス１１４によりＢＳＳ１６０へ接続され、インターフェイス１１０によりコア・ネットワーク１００へ接続されている。
【００２７】
ＩＰＲＡＮ１２０は、図１に示された以下のエンティテイのグループにより簡潔に記述される。ＩＰ基地局（ＩＰＢＴＳ）１２６、１２８及び例えば無線アクセス・ネットワーク・ゲートウェイ（ＲＡＮゲートウェイ、ＲＮＧＷ）１２１、及び回線交換トラフイックのための回線交換ゲートウェイ（ＣＳゲートウェイ、ＣＳＧＷ）１２３などのＩＰＲＡＮゲートウェイ１２２である。ＩＰＲＡＮゲートウェイ１２２は、また、ネットワークへのアクセスを制御するためのＲＡＮアクセス・サーバーなどの他の要素も典型的に含む。また、ＩＰＲＡＮ１２０は、図１に示されていないサーバーやルーターなどの他の要素も含むことができる。
【００２８】
ＩＰＲＡＮ１２０では、中央集中的制御器（ＲＮＣ１４６及びＢＳＣ１６６）の機能の大部分は、ＩＰ基地局１２６に移されるように計画される。特に、全ての無線プロトコルはＩＰ基地局１２６へ移される。ＩＰ基地局１２６外のエンティテイは、例えば、構成及び無線資源（ＲＲ）機能を実行することが必要であり、又は、従来の無線アクセス・ネットワーク又は基地局サブシステム又はコア・ネットワーク１００へのゲートウェイと相互動作することが必要である。しかし、より進化したアーキテクチャにおいて、ＲＮＣ又はＢＳＣはまだ使用できる。
【００２９】
また、図１は、異なる無線アクセス・ネットワークの基地局のカバレッジ領域、すなわち、セルを示す。すなわち、セル１４３、１４５、１５３、１５５はノードＢ１４２、１４４、１５２、１５４のカバレッジ領域を表し、セル１６３、１６５は基地局１６２、１６４のカバレッジ領域を表す。１つのノードＢ１４２、１４４、１５２、１５４又は基地局１６２、１６４は、図１に示すように１つのセルをサービスしてもよく、又は、基地局の場合に円弧形セルであるいくつかのセルをサービスしてもよい。また、ＩＰ基地局はいくつかのセルをサービスしてよい。図中、ＩＰ基地局（ＩＰＢＴＳ）１２６のカバレッジ領域は、セル１２４、１２５により表され、そしてＩＰＢＴＳ１２８のカバレッジ領域は、セル１２７、１２９により表される。
【００３０】
図１に示されるユーザ装置（ＵＥ）１７０は、好ましくは、２Ｇ及び３Ｇシステムの両方に適用可能であり、無線アクセス・ネットワーク１２０との無線接続を確立するために少なくとも１つの送受信機を含む。典型的に、ユーザ装置１７０は、移動局であり、さらに、アンテナ、ユーザ・インターフェイス、及びバッテリを含む。今日、さまざまな種類のユーザ装置が入手可能である。例えば、車及びポータブル装置に搭載された装置である。また、ユーザ装置１７０は、パーソナル・コンピュータ又はポータブル・コンピュータと似た性能を持つことができる。ユーザ装置１７０は、通信接続を使用して無線システムのコア・ネットワークへのアクセスをＵＥ１７０のユーザに提供するために、ＩＰＲＡＮ１２０などの無線アクセス・ネットワークの基地局を経由して無線システムへ接続される。通信接続は、基地局との無線接続及び基地局とコア・ネットワークとの間の接続を含む。
【００３１】
図２を参照して、ＵＴＲＡＮを例として用いて、無線アクセス・ネットワークのための汎用プロトコル・モデルが説明される。同様に、ＩＰＲＡＮなどの他の無線アクセス・ネットワークのためのプロトコル・モデルも説明できる。図２に示すように、ＵＴＲＡＮ内部機能及びプロトコルは２つの水平な層：無線ネットワーク層（ＲＮＬ）２００及びトランスポート・ネットワーク層２１０に分類できる。垂直方向へは、プロトコル・モデルは３つの平面、（無線ネットワーク）制御平面２０２、（無線ネットワーク）ユーザ平面２１２、及びトランスポート・ネットワーク制御平面２０８を含む。無線ネットワーク層２００の制御平面２０２及びユーザ平面２１２は、トランスポート・ネットワーク・ユーザ平面２２０を使用するトランスポート・ネットワーク層を経由して伝達される。図２は、無線ネットワーク層２００中のデータ・ストリーム２１４及びアプリケーション・プロトコル２０４と、トランスポート・ネットワーク層２１０のトランスポート・ネットワーク・ユーザ平面２２０中の信号ベアラー２０４とデータ・ベアラー２１６と物理層２０５を示す。また、図２には、トランスポート・ネットワーク層２１０のトランスポート・ネットワーク制御平面２０８中の信号ベアラー２２６とアクセス・リンク制御アプリケーション・プロトコル（ＡＬＣＡＰ）２２４が示される。制御平面２０２は信号情報を転送し、そしてユーザ平面２１２はユーザにより送受信された全情報を転送する。無線ネットワーク層２００は、無線、すなわち、ＲＡＮ、又はセルラー特有プロトコルに関連して全ての機能とプロトコルを含む。トランスポート・ネットワーク層２１０は、ＲＡＮに使用するさめに選ばれた標準のトランスポート技術、例えば、ＩＰ又はＵＴＲＡＮ中のＡＴＭ（非同期転送モード）又はＩＰＲＡＮ中のＩＰを表す。トランスポート・ネットワーク層２１０中、信号ベアラーは常に操作及び管理動作（Ｏ＆Ｍ）により設定される。ＡＬＣＡＰ２２４のための信号プロトコルは、アプリケーション・プロトコル２０４のための信号プロトコルと同じタイプ又は異なるタイプでもよい。信号ベアラーがある時、無線ネットワーク層２００中のアプリケシーヨン・プロトコル２０２は、ユーザ平面情報に関して必要な情報の全てを持つＡＬＣＡＰ２２４によりデータ・ベアラー２１６が設定されることを要求できる。また、パケット交換側のｌｕインターフェイスと同様に前もって構成されたデータ・ベアラーも使用できる。この場合、ＡＬＣＡＰ２２４、従って、信号ベアラー２２６又はトランスポート・ネットワーク制御平面２０８は必要でない。
【００３２】
プロトコル・モデルの各層は、論理的エンティテイとして記述できる。１つの物理的ネットワーク要素は各層に対して１つ以上の論理的エンティテイを含むことができる。無線通信システムに関するさらなる情報は当該分野の文献及び標準に記載されている。
【００３３】
無線システム、例えば、無線アクセスシステムとしてＵＴＲＡＮ又はＩＰＲＡＮを使用するシステムは、典型的に、ユーザ平面トラフイックを処理するために２つの基礎的な論理部分を持つ。無線通信関連部分及びトランスポート関連部分である。無線関連部分は、例えば、無線資源管理（ＲＲＭ）、無線インターフェイス、ｌｕｂインターフェイス、及び、ＲＲＣ（無線資源制御）、ＲＬＣ（無線リンク制御）及びＭＡＣ（媒体アクセス制御）などの無線関連プロトコルを含む。ＲＲＭは、ハンドオーバー制御、電力制御、入場制御（ＡＣ）及びパケット・スケジューリングなどのアルゴリズムとコード管理を含む。トランスポート関連部分は、選択されたトランスポート技術とその制御機能を含む。例えば、選択されたトランスポート技術は、ＩＰＲＡＮ中のＩＰベース、及びＵＴＲＡＮ中のＩＰ又はＡＴＭ（非同期転送モード）ベースである。無線資源が高価のため、無線アクセス・ネットワークの無線関連部分はそれらの利用を最適にすることを試みる。無線関連制御の全ての機能を制御するために多くの利用可能な方法がある。例えば、共通資源管理サーバー（ＣＲＭＳ）と呼ばれるエンティテイが、無線資源制御の管理のために使用できる。このアプリケーシヨンでは、「無線マネージャ」（ＲＭ）の用語は無線関連制御の全ての機能の制御に対して使用される。
【００３４】
無線アクセス・ネットワークのトランスポート関連部分は、トランスポート資源の最適化及びそれらの使用の制御を試みる。例えば、ＩＰネットワーク中のリアルタイム又は非リアルタイム・トラフイックなどの異なるタイプのトラフイックに対してあるレベルのＱｏＳ（サービスの品質）を保証するために差別化サービス（ＤｉｆｆＳｅｒｖ）と呼ばれる方法が使用できる。差別化サービスを使用する時、データ・パケットは、重要性及び遅延感受性の観点からパケット内容に関する情報により印が付けられる。このアプリケーシヨンでは、「トランスポート・マネージャ」（ＴＭ）の用語は、全てのトランスポート関連制御の制御機能について使用される。また、ＴＭはトランスポート・ネットワークの負荷に関する情報、及び、好ましくはトランスポート・ネットワークのトポロジーに関する情報も有すると仮定される。
【００３５】
無線システムの無線通信関連部分とトランスポート関連部分は、伝統的に全く独立で、それらの決定を独立に行う。しかし、これらの決定は他の部分及びその機能に影響を与える。例えば、無線マネージャ（ＲＭ）は、ユーザ装置と基地局との間の通信接続におけるソフトハンドオーバー（ＳＨＯ）の使用に関する決定を行う。しかし、これらの決定はトランスポート・ネットワーク中の負荷を大変増加する。
【００３６】
ハンドオーバー機能は、無線ネットワーク内でユーザの移動性を実現するための１つの最も重要な方法である。移動するユーザ装置とのトラフイック接続を維持することは、ハンドオーバーを使用することで可能である。主なアイデアは、ユーザ装置が１つのセルのカバレッジ領域から別のセルへ移動する時、目標セルとの新しい接続を設定して古いセルとの接続を開放することである。
【００３７】
ハンドオーバーを活動化するためのいくつかの理由がある。ハンドオーバーの基礎的な理由は、無線接続が信号品質、ユーザ移動性、又はトラフイック分布などの設定基準をもはや実現できないことである。信号品質ハンドオーバーは無線信号の品質の劣化が規定されたパラメータよりも下にある時に行われる。劣化は、ユーザ装置又は基地局により実行される信号測定により検出される。
【００３８】
トラフイック分布ハンドオーバーは、セルのトラフイック容量が最大に到達又はそれに接近した時に発生する。このような状況では、高負荷のセルの端の近くのユーザ装置は、より少ない負荷の隣接するセルへ転送される。
【００３９】
ハンドオーバー（ＨＯ）は、ハードハンドオーバー（ＨＨＯ）、ソフトハンドオーバー（ＳＨＯ）、及びソフターハンドオーバーと分類できる。ハードハンドオーバーでは、古い接続は新接続を行う前に開放される。周波数間ハードハンドオーバーでは、新無線アクセス接続のキャリア周波数はユーザ装置の古いキャリア周波数とは異なり、周波数内ハンドオーバーでは、古いキャリアと同じである。もし、異なる周波数が無線ネットワーク・セル、例えば、同じカバレッジ領域中に異なるキャリアを使用するミクロセルとマクロセル間、に割り当てられている場合、周波数間ハンドオーバーは使用できる。さらに、周波数間ハントオーバーは、２つの異なる無線アクセス・ネットワークのタイプ間、例えば、ＵＴＲＡＮとＧＳＭの間、又は、ＩＰＲＡＮとＧＳＭの間、で生ずることができる。また、これらはシステム間ハンドオーバー、又は、周波数間ハンドオーバーであるＲＡＴ（無線アクセス技術）間ハンドオーバーとも呼ばれる。システム間ハンドオーバーは、ユーザ装置においても完全にサポートされている場合のみに可能である。
【００４０】
ソフトハンドオーバーでは、ユーザ装置は古い接続が開放される前に新しい接続が設定される。ＵＥは、基地局のリスト、又は、より詳細には、ＵＥがそれを介して例えばＵＴＲＡＮ又はＩＰＲＡＮのＲＡＮに同時的に接続する無線セル、である活動組内の測定情報を集める。すなわち、活動組はハンドオーバーのための基準設定を満足するセルのリストである。例えば、ＷＣＤＭＡシステム内では、大部分のハンドオーバーは周波数内ソフトハンドオーバーであり、ハンドオーバーに関与する隣接基地局は同じ周波数を使用して送信する。ソフトハンドオーバーは、異なる基地局に属する２つの無線セル間で実行される。しかし、例えば、ＵＴＲＡＮでは、セルは同じＲＮＣに必ずしも属せず、ソフトハンドオーバーに関与するＲＮＣはｌｕｒインターフェイスのソフトハンドオーバーの実行の調整に責任を持つ。回線交換通話では、ユーザ装置は、もし、無線ネットワーク中のセルが小さい場合、ユーザ装置はソフトハンドオーバーをほとんど常時実行する。ＵＥとネットワークとの間の同時接続は、ソフトハンドオーバーレグ（ＳＨＯレグ）と呼ばれる。ソフトハンドオーバーレグは、ＵＥと基地局の間の無線接続及び基地局とＵＥの接続をサービング・ネットワーク要素を経由してコア・ネットワークへルートするサービンク・ネットワークとの間の可能なトランスポート接続を含んだ接続である。
【００４１】
また、ソフトハンドオーバーのいくつかの変形がある。例えば、ソフター及びソフト・ソフターハンドオーバーである。ソフターハンドオーバーでは、新信号は加えられるか又は活動組から削除されるかのいずれか、若しくは、同じ基地局の別のセクターのより強い信号と置換される。「ソフト・ソフターハンドオーバー」の用語は、ソフト及びソフターハンドオーバーが同時に生じる時にしばしば使用される。
【００４２】
基礎的なハンドオーバー・プロセスは、典型的に、測定フェーズ、決定フェーズ、及び、実行フェーズと呼ばれる３つの主なフェーズを含む。ネットワークは全てのタイプのハンドオーバーを管理する。この目的のため、ネットワークはアップリンク接続で測定を行い、そしてダウンリンク接続についてＵＥ測定結果を受信する。ユーザ装置は常にハンドオーバーの目的のため接続中に隣接セルの信号強度を測定し、そしてその結果をネットワークへ、例えば、ＵＴＲＡＮではＲＮＣ内に位置する無線資源制御（ＲＲＣ）へ報告する。測定されるセルは３つの異なるセル組へ分割できる。活動、監視、及び検出セルである。各組はそれら自身の測定に従いセル中の測定を実行する。
【００４３】
ＵＥ測定は、例えば、同じ周波数の信号に対してダウンリンク物理的チャンネルの強度の測定などの周波数内測定、アップリンク・トラフイック・ボリュームの測定などのトラフイック・ボリューム測定、例えば、ダウンリンク・トランスポート・ブロック・エラーレートなどの品質パラメータの測定などの品質測定、及び、ユーザ装置送信電力とユーザ装置受信信号レベルの測定などの内部測定を含む。ＵＥ測定イベントは、ベストセルの変化、信号対干渉比（ＳＩＲ）の変化、周期的報告又はトリガーする時間又は主要共通パイロット・チャンネル（ＣＰＩＣＨ）信号レベルの変化などの基準に基づいてトリガーされる。ＵＥは活動組中の測定情報を集める。ＢＴＳ送信の信号強度がＵＥ中の追加閾値を越える時、ＢＴＳは活動組中に追加され、そしてＵＥはそこに既にいなければＳＨＯに入る。ＵＥは、基地局をその活動組内に独立に追加又は除去しないが、ネットワークは信号メカニズムを通じて活動組に対して修正を要求する。
【００４４】
ＵＥ及びＢＴＳにより報告された測定とハンドオーバー・アルゴリズムにより設定された基準が、ハンドオーバー決定の基礎を形成する。ハンドオーバー・アルゴリズムは標準化されず、より実現依存タイプであり、かなり自由に使用できる。ハンドオーバー・アルゴリズムの一般的原理は、ハンドオーバー・アルゴリズムの決定基準がユーザ装置により報告されたパイロット信号強度に基づいた例を使用して説明できる。例示的なハンドオーバー・アルゴリズムでは、以下の用語と相対的なパラメータが使用される。活動組と上側閾値と下側閾値とハンドオーバー・マージンである。典型的に、これらのパラメータは相対的な数字である。例えば、他の基地局の信号に対する。上側閾値は、接続の活動組中のセルの信号強度の和が要求されたＱｏＳを満足するために許容されるレベルの最大にあるレベルである。従って、下側閾値は、接続の活動組中のセルの信号強度の和が要求されたＱｏＳを満足するために許容されるレベルの最小にあるレベルである。すなわち、接続の信号強度は下側閾値より下に落ちてはいけない。「ハンドオーバー・マージン」の用語は、この例では、隣接セルの信号強度がある時間だけ及び／又はある量だけ現在のセルのそれよりも超過することが開始するポイントにおいて設定される所定のパラメータである。
【００４５】
例では、セルＡ中で、ＵＥキャンピングが隣接セルＢ方向へ移動していて、そして、パイロット信号ＡにＵＥが現在接続しており、ＵＥの移動につれて劣化していて、下側閾値に接近していると仮定する。これは、次の３つのフェーズ中でハンドオーバーをトリガーするであろう。信号Ａの強度が下側閾値に到達する。ＵＥ測定に基づいて、無線ネットワークは隣接信号Ｂが接続の品質を改善するために十分な強度もって既に利用可能であることに気付く。無線ネットワークは、信号Ｂを活動組へ追加する。その後、ＵＥは無線アクセス・ネットワークへ２つの同時的接続を持ち、信号Ａと信号Ｂの和信号により利益を得る。すなわち、この例では、下側閾値は追加閾値と呼ぶことができる。ＵＥが移動するにつれて、信号Ｂの品質が信号Ａの品質よりも良くなり、そして無線ネットワークはハンドオーバー・マージン計算を開始する。最後に、信号Ｂの強度が規定された下側閾値に到達又は超過する。すなわち、信号Ｂの強度が接続の要求されたＱｏＳを満足するために十分である。一方、和信号の強度が上側閾値を越えて、システムに追加の干渉を発生し始める。この結果、無線ネットワークは信号Ａを活動組から削除する。すなわち、この例では、上側閾値は削除閾値と呼ばれる。典型的に、活動組は１乃至３つの信号の範囲であるが、その大きさは変化できる。上記の例では、活動組の大きさは１と２つの間で変化する。
【００４６】
一般に、ネットワークにより設定された削除閾値パラメータは常に追加閾値よりも低く、活動組から無線セルの早すぎる除去を防止する。削除パラメータの正確な値は、システム性能パラメータであり、動的に設定できる。
【００４７】
ＵＥがランダムに移動する場合、方向が変化するため、ＵＥは最初のハンドオーバー直後に元のセル（この例では、セルＡ）の方向へ戻る。これは、同じセルが反復して活動セルから除去及び追加される、いわゆるピンポン効果を生ずる。これはシステム容量及び全体性能に対して有害である。無線アクセス・ネットワークに追加の信号負荷を生ずるこれらの不必要なハンドオーバーは、ハンドオーバー・マージン又はヒステリシス・パラメータを使用することで回避できる。また、この効果はタイマーの使用でも回避できる。削除タイマーは、信号強度値が設定閾値の下に落ちた時にネットワークで開始できる。もし、基地局での信号強度値がタイマーの時間が無くなるまで設定閾値よりも下に留まる時、基地局は最終的に活動組から除去される。ピンポン効果を防止するために、タイマーの時間は十分に長くなければならない。
【００４８】
無線アクセス・ネットワークは、活動組の更新が必要とされる時を決定するために追加及び削除閾値の両方を使用する。閾値がＵＥ測定に適用される。そして、ＵＥは無線アクセス・ネットワークへ測定報告の送信を開始するために現在の閾値を使用しなければならない。最近の結果を含む測定報告は、監視されたセルがＲＡＮ規定追加閾値を超えた時にネットワークへ送信される。制御アルゴリズムに依存して、そして、ネットワークはＵＥへ活動組更新メッセージを送信する。また、制御アルゴリズムは追加閾値以外のパラメータと考慮を含む。例えば、セルは過負荷であると新接続がそのセル内で許されないようにしてよい。
【００４９】
ハンドオーバーのための可能な候補として識別されているが、活動組へまだ追加されていないセルは、監視組内に含まれる。ＲＡＮはこれらのセルを隣接セルリスト内のＵＥへ示し、ＵＥは与えられたルールに従いこれらのセルを監視する。もし、監視組内のセルが追加閾値を超える場合、測定報告が引き起こされる。検出組には、監視の際にＵＥにより発見されたが隣接セルリストには含まれていない他の全てのセルを含む。
【００５０】
ＲＲＣ層は、もし、ＵＥが１つのセルから別に移動する場合、ＵＥとネットワークとの間の接続を維持する責任を持つ。ハンドオーバー決定はＲＡＮＰＲＣにて行われ、それはとりわけＵＥ測定に基づいている。ＳＨＯは、ネットワークにより送信された活動組更新メッセージにより管理される。すなわち、ＵＥは活動組をそれ自身で更新してはいけない。これらのメッセージに従って更新する。通常の単一接続でネットワークへ接続するＵＥと比べて、ＳＨＯにおいてＵＥは常により多くのネットワーク資源を消費する。従って、ＵＥがＳＨＯから追加の利得を必要とするかを決定するのはネットワークである。
【００５１】
図３は、無線ネットワーク・システム内の資源を最適化する方法を説明する。実施の形態は、例として、ＩＰＲＡＮベース・システムを用いた、単純化された無線システム内で説明される。しかし、実施の形態は例として与えられたシステムに制限されるものではなく、当業者はこの解決を他の無線システム又は必要な性質を備えたそれらの組合わせに応用できる。
【００５２】
図３の無線システムは、この場合はＩＰＲＡＮ１２０である無線アクセス・ネットワークを含む。しかし、無線アクセス・ネットワークは、例えば、図１に示されるようなＵＴＲＡＮの他の無線アクセス・ネットワークでもよい。
【００５３】
無線システムは、少なくとも、ユーザ装置１７０の１つのユニットを含む。図３のＩＰＲＡＮ１２０は、ユーザ装置１７０へ通信接続を提供するための無線ネットワーク３２０、及び、無線ネットワーク３２０のネットワーク要素を接続し、無線ネットワーク３２０を無線システムのコア・ネットワーク１００へ接続するためのトランスポート・ネットワーク３２２を含む。通信接続は無線接続で互いに通信するユーザ装置と基地局により確立される。すなわち、基地局を経由して異なるＵＥ間の通信又はデータ送信接続が確立される。基地局により作られた無線セルは、通常、拡張されたカバレッジを与えるためいくぶん重なり合っている。無線ネットワーク３２０は、ＩＰＲＡＮ１２０の場合はＩＰ基地局である、基地局３２４、３２６、３２８を含む。第１基地局３２６は、無線システムへのアクセスを提供するために無線セル３３６内で無線接続３０６をユーザ装置１７０に与える。無線ネットワーク３２０の論理的機能は、ユーザ装置１７０に無線送信と受信のために無線セル３３６、３３８、３３４を与えることである。トランスポート・ネットワーク３２２の論理的機能は、コア・ネットワーク１００への接続を無線セル３３４、３３６、３３８に与えることである。１つの基地局はいくつかの無線セルを含むことができる。しかし、図３には簡潔さのためにこれは示されていない。
【００５４】
また、ＩＰＲＡＮ１２０は、コア・ネットワーク及び他の無線アクセス・ネットワークからＩＰＲＡＮへのアクセス・ポイントである無線アクセス・ネットワーク・ゲートウェイ１２１、１２３を含む。アクセス・ネットワーク・ゲートウェイは、回線交換トラフイックに対する回線交換ゲートウェイ（ＣＳＧＷ）１２３などのゲートウェイ、及び、無線アクセス・ネットワーク・ゲートウェイ（ＲＮＧＷ）１２１を含む。また、ＩＰＲＡＮは典型的に、無線アクセス・ネットワークへのアクセスを制御するための無線アクセス・ネットワーク・サーバー（ＲＮＡＳ、ＲＡＮアクセス・サーバー）などの他のＲＡＮゲートウェイも含むことができる。トランスポート・ネットワーク３２２は接続３１４を経由してＣＳＧＷ１２３へ接続され、そして接続３１６を経由してＲＮＧＷ１２１へ接続される。接続３１４と接続３１６の両方はトランスポート・ネットワーク３２２の一部である。図３の例では、接続３１４、３１６はＩＰ接続として実現されるが、その実現はＩＰに制限されるものではなく、他の適当な技術も使用できる。
【００５５】
ＵＴＲＡＮ（図１中のＵＴＲＡＮ１４０及びＲＮＳ１４０、１５０参照）の場合、無線アクセス・ネットワークは、ｌｕｂインターフェイスを経由してＲＮＣに接続されたノードＢを含む。
【００５６】
図３中に示されたコア・ネットワーク１００は、２Ｇコア・ネットワーク３５２、３Ｇコア・ネットワーク３５４、３Ｇパケット・コア・ネットワーク３５６、及び２Ｇパケット・コア・ネットワーク３５８など、異なる世代のコア・ネットワークを含んでよい。２Ｇコア・ネットワーク３５２は、インターフェイスＡを経由してＣＳＧＷ１２３へ接続された２Ｇ移動局制御器（２ＧＭＳＣ）３５３を含む。３Ｇコア・ネットワーク３５４は、ｌｕ−ＣＳインターフェイスを経由してＣＳＧＷ１２３へ接続された３Ｇ移動局制御器（３ＧＭＳＣ）３５５を含む。３Ｇパケット・コア・ネットワーク３５６は、ｌｕインターフェイスを経由してＲＮＧＷ１２１に接続されている。２Ｇパケット・コア・ネットワーク３５８は、Ｇｐ／ＩＰインターフェイスを経由してトランスポート・ネットワーク３２２に接続されている。無線ネットワーク３２０のネットワーク要素の１つは、サービング機能、換言すると、ユーザ装置１７０の通信接続をサービング・ネットワーク要素を経由してコア・ネットワーク１００にルートする、すなわち、コア・ネットワーク・インターフェイスとＲＲＣ（無線資源制御）をターミネイトする、を実行するサービング・ネットワークとして動作する。ＲＡＮとの接続を持つ各ＵＥに対して常に１つのサービング・ネットワーク要素がある。ＩＰＲＡＮの場合、このサービング・ネットワーク要素はサービング基地局（サービングＩＰＢＴＳ）であり、ＵＴＲＡＮの場合、サービング無線ネットワーク制御器（ＲＮＣ）である。また、無線ネットワーク３２０は、ドリフテイング・ネットワーク要素を持ち、これは、ＩＰＲＡＮの場合、ドリフテイングＩＰＢＴＳと呼ばれ、ＵＴＲＡＮの場合、ドリフテイングＲＮＣと呼ばれる。ドリフテイング・ネットワーク要素の役割は、サービング・ネットワーク要素に、接続がドリフテイング・ネットワーク要素により制御されるセルを必要とする時、ＵＥ接続のために無線資源を提供することである。サービング及びドリフテイング・ネットワーク要素はそれらの位置を交換してもよい。すなわち、ドリフテイング・ネットワーク要素は後でサービング・ネットワーク要素として動作してもよい。その逆もよい。
【００５７】
無線システムでは、ＵＥの通信接続はネットワーク要素、例えば、無線ネットワークの基地局、にアンカーできる。「アンカー」の用語は、ＩＰＲＡＮにおいては、サービングＩＰＢＴＳ機能がＵＥに無線資源を提供しないＢＴＳにより提供される場合の状態を記述するために使用できる。ＵＴＲＡＮでは、この用語はＵＥがサービングＲＮＣにより制御されるどんなセルに対しても接続を持たない時の状態を記述するために使用できる。
【００５８】
また、図３の無線システムは、全ての無線関連制御の機能の制御を実現しそして無線ネットワーク内のユーザ装置と基地局との間の無線資源の管理をするために無線ネットワーク３２０に接続された無線マネージャ３０５を含む。無線マネージャ３０５は、典型的に、無線セルのセル負荷として示されることができる無線容量情報を受信するように構成されている。無線マネージャ３０５は、例えば、ＲＡＮ共通サーバーの１つ、例えば、共通資源管理サーバー（ＣＲＭＳ）と呼ばれるエンティテイ、により実現できる。しかし、実施の形態の実現はＣＲＭＳに制限されるものではなく、無線マネージャ３０１は無線システムの無線資源を制御するように構成されたどんなエンティテイであることができる。
【００５９】
さらに、図３の無線システムは、全てのトランスポート関連制御の機能の制御を実現するためそしてトランスポート・ネットワーク資源を管理するために送信ネットワーク３２２に接続された送信マネージャ３０３を含む。トランスポート・マネージャ３０３は、トランスポート・ネットワークの負荷及びそのトポロジーに関する情報を持つ。トランスポート・マネージャ３０３は、無線セルに利用可能なトランスポート・ネットワーク３２２上のトランスポート負荷情報を受信するように構成されている。例えば、トランスポート・マネージャ３０３は、先の出願（ＰＣＴ／ＩＢ０２／００９１９）において説明されたＩＰトランスポート資源マネージャ（ＩＴＲＭ）と呼ばれるエンティテイにより実現できる。ＩＴＭＲはトランスポート・ネットワーク３２２論理アーキテクチャに属し、コア・ネットワークではなく、ＩＰトランスポート・ネットワークのアクセス部分を横断する資源を監視して管理する。しかし、実施の形態の実現はＩＴＲＭに制限されるものではなく、トランスポート・マネージャ３０３は、トランスポート負荷に関する情報及びトランスポート・ネットワーク３２２に関する情報を受信するように構成されたどんなエンティテイであることができる。
【００６０】
トランスポート・マネージャ３０３と無線マネージャ３０５は、共通の要素中に、例えば、共通マネージャ・エンティテイの一部として実現できるが、それらはスタンド・アロン・エンティテイとして、例えば、無線アクセス・ネットワークの他の論理的エンティテイの機能性の部分又は別個のサーバーとして、別々にも実現できる。
【００６１】
さらに、無線システムは、接続３２３を経由してトランスポート・ネットワークのトラフイックに関するトランスポート・ネットワーク情報を受信するための受信手段３０１と、受信手段に接続３２１により接続されてトランスポート・ネットワーク情報に基づいてユーザ装置と無線ネットワークのサービング・ネットワーク要素との間の通信接続を調節するための調節手段３０２を含む。実施の形態では、調節手段３０２は受信手段３０１により受信されたトランスポート・ネットワーク情報に基づいてユーザ装置と無線ネットワークの基地局との間の通信接続のソフトハンドオーバーを調節する。
【００６２】
受信手段３０１と調節手段３０２は、無線マネージャＲＭ機能の一部として、例えば、ＣＲＭＳ機能の一部又は送信マネージャＴＭ機能の一部として、例えば、ＩＴＭＲ機能の一部として実現できる。又は、これらの機能はＲＭ３０５とＴＭ３０３との間で分割できる。この場合、ＴＭ３０３及びＲＭ３０５は同じ要素内に、又は、要素間の信号を取扱うならば異なる要素間に実現できる。また、受信手段３０１と調節手段３０２は無線アクセス・ネットワークの他の論理的エンティテイの一部又は機能としても実現できる。例えば、受信手段３０１と調節手段３０２はＩＰＢＴＳ３２４、３２６、３２８内に実現でき、又は、ＵＴＲＡＮの場合はＲＮＣ内に実現できる。
【００６３】
受信手段３０１はトランスポート・ネットワーク３２２のトランスポート負荷を示す測定と報告を受信する。また、トランスポート負荷はトランスポート・ネットワーク３２２のトランスポート容量として示されてよい。
【００６４】
受信手段３０１は、それらが接続されている調節手段３０２にトランスポート負荷情報を示す。そして、調節手段３０２は、トランスポート・ネットワーク情報に基づいて、ユーザ装置１７０とサービング・ネットワーク要素との間の通信接続を調節する。特に、調節手段３０２は、トランスポート・ネットワーク情報に基づいて、ユーザ装置と無線ネットワークの基地局との間の通信接続のソフトハンドオーバーを調節するために使用される。
【００６５】
図３は、ＵＥ１７０がソフトハンドオーバー状態にある状態を示す。ユーザ装置１７０は、無線接続３０６を介して第１基地局３２６と通信する。そして、セル３３６がＵＥ１７０の活動組内に含まれる。ＵＥ１７０は、第１基地局３２６の共通パイロットを測定し、また同時に第２基地局３２４及び第３基地局３２８の共通パイロットを測定する。そして、無線接続３０４、３０８がＵＥ１７０とＢＴＳ３２４とＢＴＳ３２８の間でこれらの基地局を経由してコア・ネットワーク１００への接続を提供するために確立され、そしてセル３３４とセル３３８がセル３３６を既に含む活動組内に追加される。ＵＥ１７０とネットワークの間の同時的接続はソフトハンドオーバーレグ（ＳＨＯレグ）と呼ばれ、それらはＵＥ１７０と基地局３２４、３２８の間の無線接続３０４、３０８、及び、基地局３２４、３２８とサービング・ネットワーク要素として動作するネットワーク要素、ＩＰＲＡＮの場合はサービングＩＰＢＴＳそしてＵＴＲＡＮの場合はサービングＲＮＣ、との間のトランスポート接続を含む。ＳＨＯレグを生成して維持することは、トランスポート・ネットワーク３２２の負荷を増加する。受信手段３０１が、トランスポート・ネットワーク３２２内の輻輳又は重い負荷を示すトランスポート・ネットワーク３２２に関するトランスポート・ネットワーク情報を受信すると仮定する。この情報は調節手段３０２に示される。実施の形態では、調節手段３０２は、トランスポート・ネットワーク情報に基づいて、無線ネットワークの基地局とユーザ装置との間の通信接続のソフトハンドオーバーを調節する。トランスポート・ネットワーク３２２中の負荷が変化する時、例えば、減少する時、受信手段３０１はこれに関する情報を受信して、調節手段３０２にこの情報を示す。調節手段はこれを考慮して更新されたトランスポート・ネットワーク情報に基づいてソフトハンドオーバーを調節する。
【００６６】
図３において、さらに、ＢＴＳ３２６がサービング・ネットワーク要素、この場合は、サービングＢＴＳ３２６であると仮定する。ＢＴＳ３２６は接続３１７を経由してトランスポート・ネットワーク３２２へ接続されていて、ＢＴＳ３２４は接続３１９を経由しそしてＢＴＳ３２８は接続３１８を経由して接続されている。接続３１７、３１８、３１９はトランスポート・ネットワーク３２２に属する。サービングＢＴＳ３２６は、ＢＴＳ３２４へ接続３１５により、そしてＢＴＳ３２８へ接続３１３により接続されている。また、接続３１３、３１５はトランスポート・ネットワーク３２２の一部であり、実際には、基地局３２４、３２６、３２８からトランスポート・ネットワーク３２２への接続３１７、３１８、３１９も含む。すなわち、接続３１３は接続３１７、３１８を含み、接続３１５は接続３１７、３１９を含む。サービングＢＴＳ３２６は、サービングＢＴＳ３２６とコア・ネットワーク１００との間のＵＥ１７０の通信接続を取扱う。通信接続は無線接続、例えば、基地局、例えば、ＢＴＳ３２４への接続３０４と、ＩＰＲＡＮにおいては、もし基地局３２４がドリフト基地局である場合、ドリフト基地局とサービング基地局３２６との間の接続３１５と、サービング基地局３２６とコア・ネットワーク１００との間の接続と、を含む。ソフトハンドオーバー状態では、この通信接続は無線接続３０６、３０４、３０８及びサービングＢＴＳ３２６とドリフトＢＴＳ３２４、３２８の間の接続、すなわち、接続３１５と接続３１３、及び、サービングＢＴＳ３２６とコア・ネットワーク１００との間の接続も含む。ＵＴＲＡＮの場合、サービングＲＮＣは、ＵＥの通信接続をコア・ネットワーク１００へルートし、そして通信接続はＵＥ１７０とコア・ネットワーク１００の間の全ての無線及びトランスポート接続を含む。
【００６７】
上述した通り、受信手段３２３は、トランスポート・ネットワーク３２２内の輻輳又は重い負荷を示すトランスポート・ネットワーク３２２に関するトランスポート・ネットワーク情報を受信する。この情報は、調節手段３０２に示される。１つの実施の形態では、調節手段３０２は、トランスポート・ネットワーク情報に基づいて、ユーザ装置とサービング・ネットワーク要素との間の通信接続を調節する。この例では、調節手段３０２は、トランスポート・ネットワーク情報に基づいて、ユーザ装置１７０とサービングＢＴＳ３２６との間の通信接続を調節する。再び、トランスポート・ネットワーク３２２中の負荷が変化する時、受信手段３２３はこれに関する情報を受信して調節手段３０２にこの情報を示す。調節手段３０２はこれを考慮して、更新されたトランスポート・ネットワーク情報に基づいて、サービング・ネットワーク要素３２６とＵＥ１７０との間の通信接続を調節する。
【００６８】
１つの実施の形態では、サービング・ネットワーク要素とユーザ装置との間の通信接続を調節する時、調節手段３０２は、トランスポート・ネットワーク情報に基づいて、無線ネットワークの基地局及びこの基地局との無線接続を有するユーザ装置の間の通信接続のソフトハンドオーバーを調節する。
【００６９】
１つの実施の形態では、活動組の更新を減少させるため、調節手段３０２はソフトハンドオーバーの基準を調節する。これは、ソフトハンドオーバーをトリガーするＳＨＯマージンを調節するために、又は、代替的に、ソフトハンドオーバーをトリガーするためのＳＨＯヒシテリシス限界を調節ために、調節手段３０２を使用することにより行われる。より詳細には、調節手段３０２は、トランスポート・ネットワーク情報に基づいてソフトハンドオーバー測定報告をトリガーするためのマージンを調節することによりＳＨＯ基準を調節するため、又は、代替的に、ソフトハンドオーバー測定報告をトリガーするためのＳＨＯヒシテリシス限界を調節するために、使用できる。別の実施の形態では、調節手段３０２は、古いマージン及びヒシテリシス限界を維持するが、ＵＥ１７０への活動組更新メッセージの送信を調節することにより、ＳＨＯを調節するために使用される。別の実施の形態では、活動組の更新を減少させるために、更新メッセージはたとえＵＥ測定が更新理由を示したとしても送信されない。別の実施の形態では、調節手段３０２は、基地局とユーザ装置との間の通信接続相対的に信号強度に対するＳＨＯマージン又はヒシテリシス限界を調節することによりＳＨＯ調節するために使用される。測定報告をトリガーするためのＳＨＯ基準とＳＨＯマージンとヒシテリシス限界は、各ハンドオーバーレグに対して個別に調節できる。
【００７０】
１つの実施の形態では、調節手段３０２はＵＥ１７０のために許されたソフトハンドオーバーレグの数を調節する。すなわち、ソフトハンドオーバーレグを、基地局又はセルのある数の間だけ生成することが許される。１つの実施の形態では、調節手段３０２はＳＨＯレグの数を２つのＳＨＯレグに制限する。
【００７１】
別の実施の形態では、調節手段３０２はあるサービスによるソフトハンドオーバーの許可を調節する。すなわち、ソフトハンドオーバーは全てのサービスについては使用されない。例えば、ソフトハンドオーバーは、いずれの非リアルタイム（ＮＲＴ）サービスについても使用することが許されないか、又は、いくつかのＮＲＴサービスに対してのみ使用が許される。制限は、使用されるサービスのタイプ、トラフイック・クラス又は接続の優先度に基づいている。例えば、ソフトハンドオーバーはいわゆるゴールドユーザにのみ許され、シルバー又はブロンズ・ユーザには許されない。
【００７２】
１つの実施の形態では、調節手段３０２は基地局当たりのソフトハンドオーバーの使用を調節する。別の実施の形態では、調節手段３０２は無線セル当たりのソフトハンドオーバーの使用を調節する。例えば、これはある又は全ての無線セル又は基地局に対してＳＨＯ使用のための限界を設定することにより行われる。限界は、例えば、セル又はＢＴＳからのトラフイックの最大量（ｋｂｐｓ）である。
【００７３】
１つの実施の形態では、調節手段３０２は、無線ネットワークのネットワーク要素間のベアラーに対して割り当てられるビットレートを調節する。典型的に、ＵＴＲＡＮでｌｕｒ又はｌｕｂインターフェイスにより又はＩＰＲＡＮでｌｕｒ’インターフェイスにより、割り当てられたビットレートを調節する時、調節手段３０２はいくつかの非リアルタイム（ＮＲＴ）サービスについてはより小さいビットレートを割り当てる。１つの実施の形態では、割り当てられたビットレートは多重化できる。すなわち、いくつかのベアラーに対しての割り当てビットレートが、同時に調節される。これは、全てのベアラーに対してある数のビットのみ、すなわち、あるビットレートを許容することにより、又は一時に１つ又はいくつかの接続に対してのみより大きいビットレートを与えることにより行うことができる。
【００７４】
１つの実施の形態では、調節手段３０２は、無線ネットワークのネットワーク要素とユーザ装置の通信接続のアンカーリングを調節する。１つの実施の形態では、アンカーリングは制限される。別の実施の形態では、アンカーリングは許されない。例えば、受信手段３０１を経由して受信されたトランスポート・ネットワーク情報がトランスポート・ネットワークの輻輳又は重い負荷を示す時、調節手段３０２はＵＥ１７０の通信接続が基地局、例えば、ＢＴＳ３２６、へアンカーされることを禁止するために使用できる。これは、サービング機能はＢＴＳ３２６へアンカーされずに、他の基地局、例えば、ＢＴＳ３２８がサービング基地局として動作できることを意味する。
【００７５】
説明された機能は、通常は、プロセッサとそのソフトウェアとして、ソフトウェアにより無線システムの異なる部分において実現できるが、さまざまなハードウェア解決、例えば、論理部品により作られた回路又は１つ又は複数のアプリケーション専用集積回路ＡＳＩＣ、も実現可能である。これらの異なる実現のハイブリッドも実現可能である。実現方法を選択する時、当業者は装置の大きさと電力消費、必要な処理能力、製造コスト及び製造量について課された要件を考慮する。
【００７６】
図４のフローチャートを参照すると、無線システム中の資源を最適化するための第１方法が示される。
【００７７】
４００で方法が開始される。４０２で、無線システムのトランスポート・ネットワーク中のトラフイックに関するトランスポート・ネットワーク情報が無線システムの無線ネットワークへ転送される。トランスポート・ネットワークは無線ネットワークのネットワーク要素と無線ネットワークを無線システムのコア・ネットワークへ接続する。
【００７８】
４０４で、無線ネットワークのネットワーク要素の１つがサービング・ネットワーク要素として動作し、ユーザ装置の通信接続をサービング・ネットワーク要素を経由してコア・ネットワークへルーチングする。
【００７９】
４０６で、ユーザ装置の通信接続が、トランスポート・ネットワーク情報に基づいて、サービング・ネットワーク要素とユーザ装置との間で調節される。４０８で、方法が終了する。
【００８０】
第１方法の実施の形態では、ユーザ装置の通信接続の調節の際、トランスポート・ネットワーク情報に基づいて、無線ネットワークの基地局とこの基地局と無線通信を持つユーザ装置との間の通信接続のソフトハンドオーバーが調節される。
【００８１】
図５のフローチャートを参照すると、無線システム中の資源を最適化するための第２方法が示されている。
【００８２】
５００で方法が開始される。５０２で、無線システムのトランスポート・ネットワーク中のトラフイックに関するトランスポート・ネットワーク情報が無線システムの無線ネットワークへ転送される。トランスポート・ネットワークは、無線ネットワークのネットワーク要素と無線ネットワークを無線システムのコア・ネットワークへ接続する。
【００８３】
５０４で、トランスポート・ネットワーク情報に基づいて、無線ネットワークの基地局とユーザ装置との間の通信接続のソフトハンドオーバーが調節される。５０６で、方法が終了する。
【００８４】
第２方法によると、無線ネットワークのネットワーク要素の１つがサービング・ネットワーク要素として動作して、ユーザ装置の通信接続をサービング・ネットワーク要素を経由してコア・ネットワークへルーチングする。
【００８５】
次に、上記２つの方法に適用できるさらなる実施の形態を説明する。
１つの実施の形態では、サービング・ネットワーク要素はサービング基地局又はサービング無線ネットワーク制御器である。
【００８６】
１つの実施の形態では、通信接続はユーザ装置とサービング・ネットワーク要素との間の無線接続を含む。
【００８７】
１つの実施の形態では、通信接続はユーザ装置と無線ネットワークの基地局との間の無線接続、及び、基地局とサービング・ネットワーク要素との間の接続を含む。
【００８８】
１つの実施の形態では、無線ネットワークのネットワーク要素によるユーザ装置の通信接続のアンカーリングは調節される。１つの実施の形態では、アンカーリングは制限される。別の実施の形態では、アンカーリングは許されない。
【００８９】
１つの実施の形態では、ソフトハンドオーバーの基準が調節される。１つの実施の形態では、ソフトハンドオーバー測定報告をトリガーするためのマージンが調節される。１つの実施の形態では、ソフトハンドオーバー測定報告をトリガーするためのヒシテリシス限界が調節される。１つの実施の形態では、ソフトハンドオーバー・マージンが調節される。１つの実施の形態では、ソフトハンドオーバー・ヒシテリシス限界が調節される。別の実施の形態では、相対的信号強度のマージンが調節される。１つの実施の形態では、相対的信号強度のヒシテリシス限界が調節される。
【００９０】
１つの実施の形態では、ソフトハンドオーバーの数が調節される。１つの実施の形態では、ＳＨＯレグの数は、２つのＳＨＯレグに制限される。
【００９１】
１つの実施の形態では、あるサービスについてソフトハンドオーバーの許可が調節される。１つの実施の形態では、ソフトハンドオーバーはいずれの非リアルタイム（ＮＲＴ）サービスについても使用することが許可されないか、又は、いくつかのＮＲＴサービスについてのみ使用が許される。この実施の形態では、調節は使用されるサービスのタイプ、トラフイック・クラス又は接続の優先度に基づく。
【００９２】
１つの実施の形態では、基地局当たりのソフトハンドオーバーの使用が調節される。
【００９３】
１つの実施の形態では、無線セル当たりのソフトハンドオーバーの使用が調節される。
【００９４】
１つの実施の形態では、無線ネットワークのネットワーク要素間のベアラーに対して割り当てられるビットレートが調節される。１つの実施の形態では、より小さいビットレートがいくつかの非リアルタイム（ＮＲＴ）サービスに対して割り当てられる。別の実施の形態では、割り当てられたビットレートは多重化できる。すなわち、いくつかのベアラーに対して割り当てられたビットレートは同時に調節できる。
【００９５】
開示された方法は、上述した無線システムにより実現できるが、他の種類の無線システムも使用できる。
【００９６】
上述の調節は、既存の通信接続のために使用でき、又は、新通信接続に対してのみ使用できる。調節は、ユーザ装置及び／又はＩＰＢＴＳ又はＲＮＣ中の接続の制御機能を修正するために使用できる。
【００９７】
調節は、無線システムの全ての又はいくつかの基地局間の通信接続のために使用できる。
【００９８】
調節、特に、ＳＨＯの調節とＳＨＯ負荷の制限は、例えば、混雑時のトランスポート・ネットワークの負荷が大きい時に必要とされる。トランスポート・ネットワークの負荷が少ない時、調節の必要性はより少なく又は調節は必要無い。
【００９９】
調節は、ネットワークの負荷が高くＵＥの移動性が高い時に、一時的に必要とされる。このような場合、ＳＨＯトラフイックの比率は例外的に高い。ＳＨＯトラフイックが、大変緊急であると分類される時、その大部分の比率は、差別化サービス（ＤｉｆｆＳｅｒｖ）の使用により通常獲得できる利益を減少する。
【０１００】
図６は、受信手段が調節手段に報告するトランスポート負荷の一例を示す。負荷が増大すると、ＳＨＯ負荷を減少するためのトリガーが実行される。負荷はこれらの動作により減少する。この文脈では、負荷は、例えば、トランスポート負荷（ｋｂｐｓ）の直接測定、又は、トランスポート待ち行列長又はトランスポート遅延などのＱｏＳ測定である。
【０１０１】
図７は、資源最適化方法を使用して接続のＳＨＯ確率を減少する方法を表す。閾値ＴＨ１及び−ＴＨ１は、新接続が活動組へ追加される時の閾値を示す。閾値ＴＨ２及び−ＴＨ２は、活動組の接続が削除される時の閾値を示す。動作は閾値を図に表されるように減少することである。ヒシテリシス・マージンも減少する（例えば、ＴＨ２−ＴＨ１）。
【０１０２】
図８は、１つのセル内のシミュレートされたＳＨＯ負荷を表す。垂直線はＳＨＯ負荷パーセンテイジを表し、この例では、接続当たり１つの無線レグのみしか存在しない、すなわち、ＳＨＯがない時と比較した場合の第２及び第３ＳＨＯ無線レグによる余分な負荷である。ＳＨＯ負荷の変動は重い。数秒の時間間隔で、ＳＨＯ負荷は数十パーセントだけ減少又は増加する。この種の高速の変動は、ＳＨＯトラフイックを積極的に制限しないと安定にできない。例えば、入場制限は高速に応答できない。変動は、図７に示されたＳＨＯマージンに依存する。もし、ＴＨ１＝ＴＨ２＝０ｄＢの場合、ＳＨＯは無いか又はＳＨＯ負荷はない。
【０１０３】
以上、本発明が添付図面を参照して例により説明されたが、本発明はそれらに限定されるものではなく、特許請求の範囲内においていくつかの態様により修正できることは明らかである。
【図面の簡単な説明】
【０１０４】
【図１】無線システムの一例を示すブロック図。
【図２】無線アクセスシステムについての一般的プロトコル・モデルの一例を示す図。
【図３】無線システムの他の例を示すブロック図。
【図４】無線システムの無線資源を管理する方法を示すフローチャート。
【図５】無線システムの無線資源を管理する別の方法を示すフローチャート。
【図６】無線ネットワークに報告されたトランスポート負荷の一例を示すグラフ。
【図７】資源の最適化のための方法を使用する一例を示す図。
【図８】無線セルにおけるソフトハンドオーバー負荷振舞いの一例を示すグラフ。
【図１】
2006502638.tif 000003
【図２】
2006502638.tif 000004
【図３】
2006502638.tif 000005
【図４】
2006502638.tif 000006
【図５】
2006502638.tif 000007
【図６】
2006502638.tif 000008
【図７】
2006502638.tif 000009
【図８】
2006502638.tif 000010
【国際調査報告】
2006502638.tif 000011
2006502638.tif 000012